(57)【要約】【課題】コアの高密度配置及びファイバの細径化を達成し、且つ、コア間クロストークが抑制された偏波保持マルチコア光ファイバを提供する。【解決手段】偏波保持マルチコア光ファイバ１では、楕円コア１１を用いているため構造複屈折が生じ、マルチコア光ファイバに含まれる各コアについて偏波主軸方向と一致した直線偏波を入射させれば、偏波状態を維持して伝搬させることが可能となり、一般的な偏波保持マルチコア光ファイバにおいて必要とされる応力付与部等は不要となる。したがって、一定のクラッド断面積内に高密度にコアを配置することが可能となる。また、最近接コア中心間を結ぶ線の方向と界分布の長軸方向（すなわち楕円コアにおける長軸方向）とを異ならせることにより、最近接コア間における界分布のオーバーラップが低減されることから、最近接コア中心間を結ぶ線の方向と界分布の長軸方向とが一致している場合と比較して、コア間のクロストークが低減される。【選択図】図１
2013080126.tif 000002
【特許請求の範囲】
【請求項１】
同一クラッド内に複数のコアを備えた偏波保持マルチコア光ファイバであって、
前記コア又は前記コア近傍の構造非対称性による偏波保持特性を有し、
前記コアは、光の界分布が非対称であって、
前記コアに対して最近接のコアとの中心間を結ぶ直線の方向と、前記コアにおける光の界分布の長軸方向とが互いに異なる
ことを特徴とする偏波保持マルチコア光ファイバ。
【請求項２】
前記コアは、長軸方向と短軸方向とで長さが異なることを特徴とする請求項１記載の偏波保持マルチコア光ファイバ。
【請求項３】
前記コアは、楕円コアであることを特徴とする請求項２記載の偏波保持マルチコア光ファイバ。
【請求項４】
前記コアを挟んで１対の空孔を有することを特徴とする請求項１記載のマルチコア光ファイバ。
【発明の詳細な説明】
【技術分野】
【０００１】
本発明は、偏波保持マルチコア光ファイバに関する。
【背景技術】
【０００２】
クラッド中に複数のコアが設けられ、これらのコアに複屈折を生じさせるための中間層（応力付与層や空孔）がコア間に設けられて、この中間層を複数のコアにより共有する偏波保持マルチコア光ファイバが知られている（例えば、特許文献１参照）。
【先行技術文献】
【特許文献】
【０００３】
【特許文献１】特開昭６２−１７８９０９号公報
【発明の概要】
【発明が解決しようとする課題】
【０００４】
しかしながら、特許文献１記載の偏波保持マルチコア光ファイバでは、ファイバの細径化を十分に行うことができないという問題がある。その理由は、コアに複屈折を生じさせるためにはコアよりも十分大きな応力付与部を確保する必要があり、この応力付与部の大きさが、コアの高密度配置及びファイバの細径化に支障をきたす可能性があるからである。また従来からマルチコア光ファイバではコア間クロストークの発生がしばしば問題となるが、特許文献１記載の偏波保持マルチコア光ファイバにおいては、コア間クロストークについての検討がなされていないため、コア間クロストークの抑制が不十分である可能性がある。
【０００５】
本発明は上記を鑑みてなされたものであり、コアの高密度配置及びファイバの細径化を達成し、且つ、コア間クロストークが抑制された偏波保持マルチコア光ファイバの提供を目的とする。
【課題を解決するための手段】
【０００６】
上記目的を達成するため、本発明に係る偏波保持マルチコア光ファイバは、同一クラッド内に複数のコアを備えた偏波保持マルチコア光ファイバであって、コア又はコア近傍の構造非対称性による偏波保持特性を有し、コアは、光の界分布が非対称であって、コアに対して最近接のコアとの中心間を結ぶ直線の方向と、コアにおける光の界分布の長軸方向とが互いに異なる
ことを特徴とする。
【０００７】
上記の偏波保持マルチコア光ファイバによれば、クラッド内のコア又はコア近傍の構造非対称性に起因して構造複屈折が生じることで、直線偏光を入射させた場合に偏波状態を維持して伝搬させることが可能となる。したがって、一般的な偏波保持マルチコア光ファイバにおいて必要とされる応力付与部等は不要となり、一定のクラッド断面積内により高密度にコアを配置することが可能となる。また、コアと最近接のコアとの中心間を結ぶ直線の方向と、当該コアにおける界分布の長軸方向とを異ならせることにより、最近接コアとの間において界分布のオーバーラップが低減され、最近接コア中心間を結ぶ線の方向と界分布の長軸方向とが一致している場合と比較して、コア間のクロストークが低減される。
【０００８】
ここで、上記作用を効果的に奏する構成として、具体的には、コアは、長軸方向と短軸方向とで長さが異なる態様が挙げられる。また、コアは、楕円コアである態様が挙げられる。コア形状を楕円とすることで構造複屈折が生じ、応力付与部を設けることなく偏波保持をすることが可能となるため、コア間クロストークを抑制した状態でコアを高密度に配置することが可能となる。
【０００９】
また、上記作用を効果的に奏する構成として、具体的には、コアを挟んで１対の空孔を有する態様が挙げられる。上記のように１対の空孔を有する構成とした場合にも、この空孔により複屈折が生じ、応力付与部を設けることなく偏波保持をすることが可能となり、コア間クロストークを抑制した状態でコアを高密度に配置することができる。
【発明の効果】
【００１０】
本発明によれば、コアの高密度配置及びファイバの細径化を達成し、且つ、コア間クロストークが抑制された偏波保持マルチコア光ファイバが提供される。
【図面の簡単な説明】
【００１１】
【図１】第１実施形態に係る偏波保持マルチコア光ファイバの構成を説明する概略断面図である。
【図２】第１実施形態に係る偏波保持マルチコア光ファイバの変形例を説明する概略断面図である。
【図３】第２実施形態に係る偏波保持マルチコア光ファイバの構成を説明する概略断面図である。
【図４】第３実施形態に係る偏波保持マルチコア光ファイバの構成を説明する概略断面図である。
【図５】第４実施形態に係る偏波保持マルチコア光ファイバの構成を説明する概略断面図である。
【図６】第４実施形態に係る偏波保持マルチコア光ファイバの変形例を説明する概略断面図である。
【図７】第５実施形態に係る偏波保持マルチコア光ファイバの構成を説明する概略断面図である。
【図８】第６実施形態に係る偏波保持マルチコア光ファイバの構成を説明する概略断面図である。
【図９】第７実施形態に係る偏波保持マルチコア光ファイバの構成を説明する概略断面図である。
【発明を実施するための形態】
【００１２】
以下、添付図面を参照して、本発明を実施するための形態を詳細に説明する。なお、図面の説明においては同一要素には同一符号を付し、重複する説明を省略する。以下の実施形態では、偏波保持マルチコア光ファイバの概略断面図を用いて説明する。この偏波保持マルチコア光ファイバは、石英ガラスからなるコアを複数有し、この複数のコアの外周にクラッドが設けられたものである。以下の図１〜９では、マルチコア光ファイバのコアが延在する方向に対して垂直な断面を示している。また、マルチコア光ファイバにおけるコアの配置の説明の便宜上、互いに直交するｘ軸（図示水平方向）及びｙ軸（図示垂直方向）を記載し、これらを用いて説明する。
【００１３】
（第１実施形態）
図１は、本発明の第１実施形態に係る偏波保持マルチコア光ファイバの構成を説明する概略断面図である。
【００１４】
第１実施形態に係る偏波保持マルチコア光ファイバ１では、クラッド２０の内部に７つの楕円形状を有する楕円コア１１が設けられている。この７つの楕円コア１１は、その中心がそれぞれ三角格子点に対応するように配置されている。より具体的には、７つの楕円コア１１のうちの中心のコアは、その中心がマルチコア光ファイバ１の中心となる位置に設けられて、６つの外周のコアと最近接している。６つの外周コアのうち、２つのコアはｙ軸方向に沿って、中心のコアと一直線になる位置に配置していて、残りの４つのコアまた、外周のコアは両隣の外周のコアおよび中心のコアと最近接する。これにより、最近接の楕円コア１１の中心同士を結ぶ線（図１における破線）が三角格子の一辺となる。図１のマルチコア光ファイバ１では、最近接コアを結ぶ線はｙ軸方向に沿って４本あり、その他の８本は、ｘ軸及びｙ軸とは異なる方向に延びている。
【００１５】
また、７つの楕円コア１１においては、楕円の短軸方向よりも長軸方向により光の界分布が広がるため、楕円の長軸と界分布の長軸は一般的に一致する。図１のマルチコア光ファイバ１では、楕円コア１１における楕円の長軸がｘ軸方向となるように、各楕円コア１１が配置されている。最近接コアを結ぶ線のうちｘ軸方向に延びる線はないことから、図１において破線で示した最近接コア中心間を結ぶ線の方向と界分布の長軸方向（すなわち楕円コアにおける長軸方向）とは異なっている。このとき、最近接コアの中心間を結ぶ線と界分布の長軸とのなす角は、最大９０度、最小３０度とされる。
【００１６】
この偏波保持マルチコア光ファイバ１は、例えば以下の方法で製造される。すなわち、クラッド部材に断面形状が楕円形の穴をコア数に応じて設けた後、この中に断面形状が楕円形のコア部材を挿入した後に一体化して母材を得る。そしてこの母材を線引することによりマルチコア光ファイバが得られる。また、他の方法として、以下の方法が挙げられる。すなわち、クラッド部材に断面形状が円形の穴をコア数に応じて設けるとともに、円形の穴を隣接して挟むように断面形状が円形の穴を開ける（この穴は楕円コアの長軸方向に沿って設けられる）。次に、コア用の穴に断面形状が円形のコア部材を挿入して加熱一体化させる際に、コア部材が挿入された穴の両脇の穴を潰すことで、コア断面形状を楕円化させた母材を作成し、これを線引することでマルチコア光ファイバが得られる。
【００１７】
本実施形態に係る偏波保持マルチコア光ファイバ１としては、例えば、クラッド２０の直径が１２５μｍであり、楕円コア１１の長軸の長さが１０μｍ、短軸の長さが２μｍ、コアとクラッドとの比屈折率差が１．０％、最近接コア中心間の距離が３０μｍとされる。
【００１８】
ここで、本実施形態の偏波保持マルチコア光ファイバ１では、コアを楕円化することで、構造複屈折が生じる。また、マルチコア光ファイバのコア部とクラッド部の熱膨張係数の差異により、ファイバ線引工程において加熱した後冷却する際に発生する応力複屈折も生じる。したがって、マルチコア光ファイバに含まれる各コアについて偏波主軸方向と一致した直線偏波を入射させれば、偏波状態を維持して伝搬させることが可能となる。また、本実施形態の偏波保持マルチコア光ファイバ１では、コアを楕円形状とすることにより複屈折を生じさせていることから、一般的な偏波保持マルチコア光ファイバにおいて必要とされる応力付与部等は不要となる。したがって、一定のクラッド断面積内に高密度にコアを配置することが可能となる。また、最近接コア中心間を結ぶ線の方向と界分布の長軸方向（すなわち楕円コアにおける長軸方向）とを異ならせることにより、最近接コア間における界分布のオーバーラップが低減されることから、最近接コア中心間を結ぶ線の方向と界分布の長軸方向とが一致している場合と比較して、コア間のクロストークが低減される。
【００１９】
また、偏波保持マルチコア光ファイバ１に含まれる楕円コア１１は光の界分布の長軸方向が全て一致している。このような構成を有している場合には、マルチコア光ファイバを他のデバイスと結合する際の偏波の主軸方向を個別に調整する必要がなく、取扱いが容易となる。
【００２０】
なお、図２に、第１実施形態の変形例として、１９個の楕円コア１１を配置した偏波保持マルチコア光ファイバ２を示す。偏波保持マルチコア光ファイバ２においても偏波保持マルチコア光ファイバ１と同様に、最近接コアを結ぶ線は、ｙ軸方向、或いは、ｙ軸とのなす角が６０度となる方向に延びていて、楕円コア１１は、長軸方向がｘ軸に沿うように配置されている。この偏波保持マルチコア光ファイバ２の一例として、コア間クロストークを偏波保持マルチコア光ファイバ１と同程度にする場合には、クラッド２０の直径が１８０μｍであり、楕円コア１１の長軸の長さが１０μｍ、短軸の長さが２μｍ、コアとクラッドとの比屈折率差が１．０％、最近接コア中心間の距離が３０μｍとされる。また、コア同士の近接配置（高密度化）を優先する場合には、クラッド２０の直径を１２５μｍとし、楕円コア１１の長軸の長さを１０μｍ、短軸の長さを２μｍ、コアとクラッドとの比屈折率差を１．０％、最近接コア中心間の距離を１５μｍとすることもできる。このように、本実施形態の偏波保持マルチコア光ファイバでは、偏波状態を維持して直線偏波を伝播させることが可能なマルチコア光ファイバであり、且つ、コアが高密度に配置されると共にコア間クロストークが低減されるという効果を奏することができる。
【００２１】
（第２実施形態）
図３は、本発明の第２実施形態に係る偏波保持マルチコア光ファイバの構成を説明する概略断面図である。
【００２２】
第２実施形態に係る偏波保持マルチコア光ファイバ３では、偏波保持マルチコア光ファイバ１と同様に、その中心が三角格子点となるように７つの円形のコア１２が配置されている。円形コア１２の配置は、第１実施形態の偏波保持マルチコア光ファイバ１の楕円コア１２の配置と同様とされていて、最近接コアを結ぶ線は、ｙ軸方向、或いは、ｙ軸とのなす角が６０度となる方向に延びている。そして、各々の円形コア１２の両脇に、空孔からなる１対のサイドトンネル３１が設けられている。サイドトンネル３１は、円形コア１２を含んでｙ軸方向に一直線となるように設けられている。１対のサイドトンネル３１により挟まれた円形コア１２においては、界分布の長軸はサイドトンネル３１の方向と直交する。これは、コアとサイドトンネル間の大きな屈折率差によりサイドトンネル側の光の閉じ込めが強くなり、相対的にこれと直交する方向により光の界分布が拡がるためである。したがって、図３に示す偏波保持マルチコア光ファイバ３の場合、各線と界分布の長軸とのなす角は、最大９０度、最小３０度とされる。
【００２３】
この偏波保持マルチコア光ファイバ３は、例えば以下の方法で製造される。具体的には、クラッド部材に断面形状が円形のコア用の穴をコアの数に応じて設けるとともに、この両脇にも断面形状が円形のサイドトンネル用の穴を設ける。その後、コア用の穴に断面形状が円形のコア部材を挿入した後に一体化して母材を得る。そしてこの母材を線引することによりマルチコア光ファイバが得られる。ここで、線引の際にコアの両脇のサイドトンネル用の穴の内部を加圧する等により、サイドトンネルが形成されたマルチコア光ファイバを得ることができる。また、他の方法として、クラッド部材、コア部材の材料に応じたロッドを用意すると共に、サイドトンネルとなる位置には中空のパイプを用意し、所謂スタック＆ドロー法によりマルチコア光ファイバの母材を作成し、これを線引する方法を用いることもできる。
【００２４】
本実施形態に係る偏波保持マルチコア光ファイバ３としては、例えば、クラッド２０の直径が１２５μｍであり、円形のコア１２の直径が８μｍ、サイドトンネル３１の直径が１０μｍ、円形コア１２とサイドトンネル３１との中心間距離が９μｍ、コアとクラッドとの比屈折率差が０．４％、最近接コア中心間の距離が３５μｍとされる。
【００２５】
ここで、本実施形態の偏波保持マルチコア光ファイバ３では、サイドトンネル３１が円形コア１２を挟んで設けられていることで、構造複屈折が生じる。したがって、マルチコア光ファイバに含まれる各コアについて偏波主軸方向と一致した直線偏波を入射させれば、偏波状態を維持して伝搬させることが可能となる。また、サイドトンネル３１により複屈折を生じさせる構成の場合には、応力付与部よりも小型のサイドトンネルにより偏波保持性能を発生することが可能である。したがって、一定のクラッド断面積内に高密度にコアを配置することが可能となる。また、最近接コア中心間を結ぶ線の方向と界分布の長軸方向（すなわちサイドトンネルの設けられる方向に対して垂直な方向）とを異ならせることにより、最近接コア間における界分布のオーバーラップが低減されることから、最近接コア中心間を結ぶ線の方向と界分布の長軸方向とが一致している場合と比較して、コア間のクロストークが低減される。
【００２６】
（第３実施形態）
図４は、本発明の第３実施形態に係る偏波保持マルチコア光ファイバの構成を説明する概略断面図である。
【００２７】
第２実施形態において説明した偏波保持マルチコア光ファイバ３では、図３に示すようにサイドトンネル３１をｙ軸方向に配置したが、これを仮にｘ軸方向とした場合には、最近接コアの中心間を結ぶ線の方向と界分布の長軸方向が一致してしまう組み合わせが、一部のコア（ｙ軸方向に隣接するコア同士が最近接している場合）において発生し、その結果コア間クロストークの増大が懸念される。これを解決する方法として、ｙ軸方向に隣接するコアの中心間距離を大きくし、これらを最近接コアではないコアとする方法がある。
【００２８】
第３実施形態に係る偏波保持マルチコア光ファイバ４では、偏波保持マルチコア光ファイバ３における７つの円形コア１２の配置を三角格子状から変更し、図３と比較してｙ軸方向に引き伸ばしている。破線で示した最近接コアを結ぶ線は、１２本（図３）から８本に減り、ｙ軸方向に隣接した円形コア１２同士は最近接コアではない。したがって、最近接コアの中心間を結びｙ軸方向に延びる線はなくなっている。また、最近接コアを結ぶ４本の破線により囲まれる領域はｘ軸方向が短軸であってｙ軸方向が長軸となる菱形形状とされる。この結果、サイドトンネル３１を図示ｘ軸方向に配置した場合であっても、図示ｙ軸方向に並んだコアにおけるコア間クロストークが低減されるものと考えられる。
【００２９】
本実施形態に係る偏波保持マルチコア光ファイバ４としては、例えば、クラッド２０の直径が１２５μｍであり、円形のコア１２の直径が８μｍ、サイドトンネル３１の直径が１０μｍ、円形コア１２とサイドトンネル３１との中心間距離が９μｍ、コアとクラッドとの比屈折率差が０．４％、最近接コア中心間の距離が３０μｍとされ、ｙ軸方向に隣接するコアの中心間距離が５０μｍとされ、ｘ軸方向に隣接するコアの中心間距離が３３．２μｍとされる。この場合、最近接コアの中心間を結ぶ線と界分布の長軸とのなす角は３３．６度となる。
【００３０】
（第４実施形態）
図５は、本発明の第４実施形態に係る偏波保持マルチコア光ファイバの構成を説明する概略断面図である。
【００３１】
第４実施形態に係る偏波保持マルチコア光ファイバ５は、第１実施形態の偏波保持マルチコア光ファイバ１を構成する楕円コア１１の配置を変更したものである。具体的には、９つの楕円コア１１の中心が四角格子点状に対応するように配置したものであり、この場合最近接コアの中心間を結ぶ線は図５に示した破線となり、最近接コアの中心間を結ぶ直線がｘ軸方向またはｙ軸方向に延びている。この場合、図５に示すように、楕円コア１１の長軸を四角格子の対角線方向とすることで、図５中に破線で示した最近接コア中心間を結ぶ線の方向（ｘ軸方向及びｙ軸方向）と界分布の長軸方向を異ならせることができる。この場合、最近接コアの中心間を結ぶ線と界分布の長軸とのなす角は４５度となる。
【００３２】
本実施形態に係る偏波保持マルチコア光ファイバ５としては、例えば、クラッド２０の直径が１２５μｍであり、楕円コア１１の長軸の長さが１０μｍ、短軸の長さが２μｍ、コアとクラッドとの比屈折率差が１．０％、最近接コア中心間の距離が３０μｍとされる。
【００３３】
また、偏波保持マルチコア光ファイバに含まれる楕円コアの数は変更することができる。図６に、第４実施形態の変形例として、１６個の楕円コア１１を配置した偏波保持マルチコア光ファイバ６を示す。この偏波保持マルチコア光ファイバ６においても、最近接コア中心間を結ぶ線の方向はｘ軸方向またはｙ軸方向とされ、楕円コア１１は、長軸がｘ軸とのなす角が４５度となり、最近接コア中心間を結ぶ線の方向と界分布の長軸方向とが異なるように楕円コア１１が配置されている。この偏波保持マルチコア光ファイバ６の一例として、コア間クロストークを偏波保持マルチコア光ファイバ５と同程度にする場合には、クラッド２０の直径が１６０μｍであり、楕円コア１１の長軸の長さが１０μｍ、短軸の長さが２μｍ、コアとクラッドとの比屈折率差が１．０％、最近接コア中心間の距離が３０μｍとされる。また、コア同士の近接配置（高密度化）を優先する場合には、クラッド２０の直径を１２５μｍとし、楕円コア１１の長軸の長さを１０μｍ、短軸の長さを２μｍ、コアとクラッドとの比屈折率差を１．０％、最近接コア中心間の距離を２４μｍとすることもできる。このように、本実施形態の偏波保持マルチコア光ファイバでは、偏波状態を維持して直線偏波を伝播させることが可能なマルチコア光ファイバであり、且つ、コアが高密度に配置されると共にコア間クロストークが低減されるという効果を奏することができる。
【００３４】
（第５実施形態）
図７は、本発明の第５実施形態に係る偏波保持マルチコア光ファイバの構成を説明する概略断面図である。
【００３５】
第５実施形態に係る偏波保持マルチコア光ファイバ７では、第２実施形態の偏波保持マルチコア光ファイバ３と同様にサイドトンネル３１が脇に設けられた９つの円形コア１２をその中心が四角格子点に対応させて配置したものである。図７では、最近接コア中心間を結ぶ線は、ｘ軸方向またはｙ軸方向に延びている。そして、サイドトンネル３１は、四角格子における各格子の対角線となる方向に設けられている。この結果、図７において破線で示した最近接コア中心間を結ぶ線の方向と、界分布の長軸方向とを異ならせることができる。この場合、最近接コアの中心間を結ぶ線と界分布の長軸とのなす角は４５度となる。
【００３６】
本実施形態に係る偏波保持マルチコア光ファイバ７としては、例えば、クラッド２０の直径が１２５μｍであり、円形のコア１２の直径が８μｍ、サイドトンネル３１の直径が１０μｍ、円形コア１２とサイドトンネル３１との中心間距離が９μｍ、コアとクラッドとの比屈折率差が０．４％、最近接コア中心間の距離が３０μｍとされる。
【００３７】
（第６実施形態）
図８は、本発明の第６実施形態に係る偏波保持マルチコア光ファイバの構成を説明する概略断面図である。
【００３８】
第５実施形態において説明した偏波保持マルチコア光ファイバ７では、図７に示すようにサイドトンネル３１を四角格子の対角線となる方向に配置したが、これをｘ軸方向にした場合には、界分布の長軸方向がｙ軸方向となり、最近接コアの中心間を結ぶ破線のうちｙ軸方向に延びる線と一致し、その結果コア間クロストークの増大が懸念される。これを解決する方法として、図７に示すｙ軸に隣接するコアの中心間距離を大きくし、これらを最近接コアではないコアとする方法がある。
【００３９】
第６実施形態に係る偏波保持マルチコア光ファイバ８では、サイドトンネル３１が脇に設けられた９つの円形コア１２の配置を四角格子状から変更し、図７と比較してｙ軸方向に離間させている。この結果、破線で示した最近接コアを結ぶ線は、１２本（図７）から６本に減り、ｙ軸方向に沿って隣接する円形コア１２は最近接コアではなく、ｘ軸方向に沿って隣接する円形コア１２が最近接コアとなる。この結果、サイドトンネル３１をｘ軸方向に配置した場合であっても、ｙ軸方向に並んだコアにおけるコア間クロストークが低減されるものと考えられる。この偏波保持マルチコア光ファイバ８では、最近接コアの中心間を結ぶ線と界分布の長軸とのなす角は９０度となる。
【００４０】
本実施形態に係る偏波保持マルチコア光ファイバ８としては、例えば、クラッド２０の直径が１２５μｍであり、円形のコア１２の直径が８μｍ、サイドトンネル３１の直径が１０μｍ、円形コア１２とサイドトンネル３１との中心間距離が９μｍ、コアとクラッドとの比屈折率差が０．４％、最近接コア中心間の距離（ｘ軸方向で隣接するコアの中心間距離）が２５μｍとされ、ｙ軸方向で隣接するコアの中心間距離が３５μｍとされる。
【００４１】
（第７実施形態）
図９は、本発明の第７実施形態に係る偏波保持マルチコア光ファイバの構成を説明する概略断面図である。
【００４２】
第７実施形態に係る偏波保持マルチコア光ファイバ９は、クラッド２０の中心を軸とした同一円周上において８つの楕円コア１１をその中心が等間隔となるように配置したものである。８つの楕円コア１１には、ｘ軸に沿って対向する２つのコアと、ｙ軸に沿って対向する２つのコアとが含まれる。この場合、最近接コアの中心間を結ぶ線は図９に示した破線となり、同一円周上で隣接する楕円コア１１の中心を結ぶ線となる。また、図９に示すように、クラッド２０の中心（楕円コア１１の中心が配置された円周の中心）と各楕円コア１１の中心とを結ぶ線（図９中の一点鎖線）上に楕円コア１１の長軸を設けられるように楕円コア１１を配置することで、最近接コアの中心間を結ぶ線の方向と界分布の長軸方向とを異ならせることができ、最近接コアの中心間を結ぶ線の方向と界分布の長軸方向とのなす角度が６７．５度となる。この結果、最近接コア間での界分布のオーバーラップが低減され、コア間のクロストークが低減される。
【００４３】
本実施形態に係る偏波保持マルチコア光ファイバ９としては、例えば、クラッド２０の直径が１２５μｍであり、楕円コア１１の長軸の長さが１０μｍ、短軸の長さが２μｍ、コアとクラッドとの比屈折率差が１．０％、最近接コア中心間の距離が３０μｍとされる。
【００４４】
以上、本発明の実施形態について説明したが、本発明は上記実施形態に限定されず種々の変更を加えることができる。例えば、クラッドの直径、楕円コア１１・円形コア１２の大きさ・形状は適宜変更することができ、また、偏波保持マルチコア光ファイバに含まれるコアの数についても適宜変更することができる。
【符号の説明】
【００４５】
１〜９…偏波保持マルチコア光ファイバ、１１…楕円コア、１２…円形コア、２０…クラッド、３１…サイドトンネル。
【図１】
2013080126.tif 000003
【図２】
2013080126.tif 000004
【図３】
2013080126.tif 000005
【図４】
2013080126.tif 000006
【図５】
2013080126.tif 000007
【図６】
2013080126.tif 000008
【図７】
2013080126.tif 000009
【図８】
2013080126.tif 000010
【図９】
2013080126.tif 000011